(57)【要約】【課題】簡易な構造でありながら、強度を向上させることができる耐力壁の脚部接合構造を提供する。【解決手段】脚部接合構造５０では、縦枠材１１を構成する角形鋼管１５と土台３との間には、接合金物２０が配置されている。また、接合金物２０は、上側部材であるフィンプレート２２において角形鋼管１５の下端１５ａ側の内部に接合され、下側部材であるスリットインプレート３０において土台３に接合されている。このように、縦枠材１１として角形鋼管１５を用いると共に、その内部に接合金物２０を接合することによって、耐力壁１０を支持する脚部接合構造５０として十分な強度を得ることができる。また、角形鋼管１５の内部に接合金物２０を接合するだけの簡易な構造とすることができる。【選択図】図３
2018076649.tif 000002
【特許請求の範囲】
【請求項１】
木製の柱、木製の梁、木製の土台、及びコンクリート製の基礎によって構成される在来軸組構造における、前記柱及び前記梁の構面内に設置される縦枠材及びパネル材を備える耐力壁の脚部接合構造であって、
前記縦枠材を構成する鋼管と前記土台との間には、接合金物が配置され、
前記接合金物は、
前記土台の上面と対向するように広がる中間部材と、
前記中間部材の上面側において、上方へ向かって突出すると共に前記耐力壁の厚さ方向へ沿って延びる上側部材と、
前記中間部材の下面側において、下方へ向かって突出すると共に前記耐力壁の幅方向に沿って延びる下側部材と、を備え、
前記接合金物は、
前記上側部材において前記鋼管の下端側の内部に接合され、
前記下側部材において前記土台に接合され、
前記中間部材において、上下方向へ延びる棒状部材を介して前記基礎と接合されることを特徴とする脚部接合構造。
【請求項２】
前記中間部材は、前記土台の上面にて、当該土台の上面と対向するように広がるベースプレートによって構成され、
前記上側部材は、前記ベースプレートの上面側に設けられ、前記鋼管の前記下端側の内部に挿入される一対のフィンプレートによって構成され、
前記下側部材は、前記ベースプレートの下面側に設けられ、前記土台の内部に配置されるスリットインプレートによって構成され、
前記棒状部材は、上端部において前記ベースプレートに固定され、下方へ向かって延びて前記土台を貫通し、下端部が前記基礎に配置されるアンカーボルトによって構成され、
前記鋼管と前記フィンプレートとは、前記幅方向に延びる軸部材で接合され、
前記土台と前記スリットインプレートとは、前記厚さ方向へ延びるピンで接合され、
前記基礎と前記ベースプレートとは、前記アンカーボルトを介して接合されることを特徴とする請求項１に記載の脚部接合構造。
【請求項３】
前記接合金物において、
前記上側部材は、上部側で円弧状に形成される部分を有し、
前記下側部材は、下部側で円弧状に形成される部分を有することを特徴とする請求項１又は２に記載の脚部接合構造。
【発明の詳細な説明】
【技術分野】
【０００１】
本発明は、耐力壁の脚部接合構造に関する。
【背景技術】
【０００２】
従来、耐力壁の脚部接合構造として、特許文献１に挙げられるものが知られている。特許文献１に示される脚部接合構造は、耐力壁のパネル材を支持する縦枠材がＨ型のスチール材によって構成されており、スチール材の縦枠材の側面にホールダウン金物が取り付けられて、当該ホールダウン金物がコンクリート製の基礎から延びるアンカーボルトに接続されている。
【先行技術文献】
【特許文献】
【０００３】
【特許文献１】特開２００７−３９９４０号公報
【発明の概要】
【発明が解決しようとする課題】
【０００４】
ここで、近年、木製の柱、木製の梁、木製の土台、及びコンクリート製の基礎によって構成される在来軸組構造においては、耐力壁の脚部接合構造として、より強度の高いものが求められている。これに対し、上述の耐力壁の脚部接合構造では、要求に対して強度が不十分であるという問題があった。また、強度を向上するために複雑な構造を採用した場合、施工時の作業効率が低下するという問題が生じる。以上より、簡易な構造でありながら、強度を向上させることが要請されていた。
【０００５】
本発明は、このような課題を解決するためになされたものであり、簡易な構造でありながら、強度を向上させることができる耐力壁の脚部接合構造を提供することを目的とする。
【課題を解決するための手段】
【０００６】
本発明に係る脚部接合構造は、木製の柱、木製の梁、木製の土台、及びコンクリート製の基礎によって構成される在来軸組構造における、柱及び梁の構面内に設置される縦枠材及びパネル材を備える耐力壁の脚部接合構造であって、縦枠材を構成する鋼管と土台との間には、接合金物が配置され、接合金物は、土台の上面と対向するように広がる中間部材と、中間部材の上面側において、上方へ向かって突出すると共に耐力壁の厚さ方向へ沿って延びる上側部材と、中間部材の下面側において、下方へ向かって突出すると共に耐力壁が広がる方向である横方向に沿って延びる下側部材と、を備え、接合金物は、上側部材において鋼管の下端側の内部に接合され、下側部材において土台に接合され、中間部材において、上下方向へ延びる棒状部材を介して基礎と接合されることを特徴とする。
【０００７】
本発明に係る脚部接合構造では、縦枠材を構成する鋼管と土台との間には、接合金物が配置されている。また、接合金物は、上側部材において鋼管の下端側の内部に接合され、下側部材において土台に接合されている。このように、縦枠材として鋼管を用いると共に、その内部に接合金物を接合することによって、耐力壁を支持する脚部接合構造として十分な強度を得ることができる。また、鋼管の内部に接合金物を接合するだけの簡易な構造とすることができる。以上より、簡易な構造でありながら、強度を向上することができる。
【０００８】
また、本発明に係る脚部接合構造において、中間部材は、土台の上面にて、当該土台の上面と対向するように広がるベースプレートによって構成され、上側部材は、ベースプレートの上面側に設けられ、鋼管の下端側の内部に挿入される一対のフィンプレートによって構成され、下側部材は、ベースプレートの下面側に設けられ、土台の内部に配置されるスリットインプレートによって構成され、棒状部材は、上端部においてベースプレートに固定され、下方へ向かって延びて土台を貫通し、下端部が基礎に配置されるアンカーボルトによって構成され、鋼管とフィンプレートとは、横方向に延びる軸部材で接合され、土台とスリットインプレートとは、厚さ方向へ延びるピンで接合され、基礎とベースプレートとは、アンカーボルトを介して接合されてよい。このように、フィンプレートを鋼管の内部に挿入して軸部材で接合し、スリットインプレートを土台の内部に配置してピンで接合し、ベースプレートに固定されたアンカーボルトで基礎に接合金物を接合するだけの簡易な構造とすることができる。従って、縦枠材として鋼管を用いる場合であっても、作業性を低下させることなく、脚部接合構造を容易に構成することができる。
【０００９】
また、本発明に係る脚部接合構造では、接合金物において、上側部材は、上部側で円弧状に形成される部分を有し、下側部分は、下部側で円弧状に形成される部分を有してよい。このような構成により、鋼管の内部に上側部材を挿入する際に、円弧状の部分でガイドしながら鋼管を挿入することができる。また、土台の内部に下側部材を挿入する際に、円弧状の部分でガイドしながら下側部材を土台に挿入することができる。これにより、作業性を向上できる。
【発明の効果】
【００１０】
本発明によれば、簡易な構造でありながら、耐力壁の脚部接合構造の強度を向上させることができる。
【図面の簡単な説明】
【００１１】
【図１】本発明に係る脚部接合構造が適用された在来軸組構造の一例を示す斜視図である。
【図２】本発明に係る脚部接合構造を適用した耐力壁の正面図である。
【図３】本発明に係る脚部接合構造で用いられる接合金物を示す正面図である。
【図４】接合金物周辺の構造を示す斜視図である。
【図５】試験結果を示すグラフである。
【発明を実施するための形態】
【００１２】
以下、本発明の好適な実施形態について、図面を参照しながら説明する。
【００１３】
図１は、本発明の実施形態に係る耐力壁の脚部接合構造が適用された在来軸組構造の一例を示す斜視図である。図１では、在来軸組構造１００の一例として、二階建ての木造住宅が示されている。図１に示すように、在来軸組構造１００は、木製の柱１、木製の梁２、木製の土台３、及びコンクリート製の基礎４によって構成される。基礎４は、地面の上にコンクリートを打設することによって構成され、構造物全体の荷重を支持するものである。土台３は、横方向に延びる木製の部材を基礎４の上面に設けることによって構成される。柱１は、基礎４の角部などに、上下方向に延びる木製の部材を設けることによって構成される。梁２は、各柱の上端部間に横方向に延びる木製の部材を架け渡すことによって構成される。なお、二階部分においては、梁２の上面に柱１が設けられる。本実施形態では、基礎４として、複数の柱１に対して一体に広がっている連続基礎（布基礎）が適用されている。ただし、基礎４として、一つの柱１に対して他の基礎４から独立した一つの基礎４が設けられる独立基礎が適用されてもよい。
【００１４】
耐力壁１０は、柱１及び梁２の構面内に設置される縦枠材１１及びパネル材１２を備えている。縦枠材１１は、基礎４と梁２との間で上下方向に延びる角形鋼管１５によって構成される。縦枠材１１は、柱１及び梁２の構面内において、横方向に所定の間隔を空けて配置されている。パネル材１２は、それぞれの縦枠材１１同士の間の隙間を覆うように設けられる。なお、二階部分においては、一階の天井部分における梁２と二階の天井部分における梁２との間に縦枠材１１が設けられる。在来軸組構造１００の柱１及び梁２は、主に長期荷重（建物自身の重量によって発生する荷重）を負担するのに対し、耐力壁１０は、地震などの際に発生する水平力を主に負担する。
【００１５】
図２を参照して、耐力壁１０の脚部接合構造５０及びその周辺構成について詳細に説明する。図２に示すように、脚部接合構造５０においては、縦枠材１１を構成する角形鋼管１５と基礎４との間に、接合金物２０が配置される。また、接合金物２０は、上端部２０ａにおいて角形鋼管１５の下端１５ａ側の内部に接合され、下端部２０ｂにおいて土台３に接合されている。縦枠材１１を構成する角形鋼管１５は、断面矩形状の中空部材である。従って、角形鋼管１５の下端１５ａには開口部が設けられている。接合金物２０の上端部２０ａは、角形鋼管１５の下端１５ａにおける開口部から当該角形鋼管１５の内部へ挿入される。また、接合金物２０の上端部２０ａは、角形鋼管１５の内部において、当該角形鋼管１５に接合される。土台３は基礎４の上面において、当該基礎４が延びる方向に沿って連続的に延びている。
【００１６】
図３及び図４を参照して、接合金物２０の構成について詳細に説明する。なお、以下の説明においては、耐力壁１０を基準として「幅方向Ｄ１」、「高さ方向Ｄ２」、「厚さ方向Ｄ３」という語を用いるものとする。図３及び図４に示すように、接合金物２０は、ベースプレート２１と、フィンプレート２２と、スリットインプレート３０と、を備えている。ベースプレート２１は、土台３の上面３ａと対向するように広がる中間部材を構成する。フィンプレート２２は、中間部材であるベースプレート２１の上面２１ａ側において、上方へ向かって突出すると共に耐力壁１０の厚さ方向Ｄ３へ沿って延びる上側部材を構成する。スリットインプレート３０は、中間部材であるベースプレート２１の下面２１ｂ側において、下方へ向かって突出すると共に耐力壁１０の幅方向に沿って延びる下側部材を構成する。接合金物２０は、上側部材であるフィンプレート２２において角形鋼管１５の下端１５ａ側の内部に接合され、下側部材であるスリットインプレート３０において土台３に接合され、中間部材であるベースプレート２１において、上下方向へ延びる棒状部材であるアンカーボルト３４を介して基礎４と接合される。
【００１７】
ベースプレート２１は、土台３の上面３ａにて、当該土台３の上面３ａと対向するように広がる。ベースプレート２１は、土台３の上面３ａに載置されている。ベースプレート２１は、水平方向に広がる矩形状の板状部材である。本実施形態では、ベースプレート２１は、幅方向Ｄ１を長辺方向とする直方体状に形成されているが（特に図４参照）、正方形などであってもよく、ベースプレート２１の形状は特に限定されない。ベースプレート２１の上面２１ａには、角形鋼管１５の下端１５ａが設置されている。ベースプレート２１の下面２１ｂは、土台３の上面３ａと接触するように配置されている。ただし、土台３の上面３ａとベースプレート２１の下面２１ｂとの間に他の部材が介在してもよい。
【００１８】
ベースプレート２１の幅方向Ｄ１における両端側は、アンカーボルト３４を固定するための固定部２６として構成される。固定部２６には、アンカーボルト３４を挿通させるための貫通孔が設けられる。アンカーボルト３４は、上端部においてベースプレート２１の固定部２６に固定され、下方へ向かって延びて土台３を貫通し、下端部が基礎４に配置される棒状部材を構成する。当該アンカーボルト３４を挿通させる貫通孔は、アンカーボルト３４の取付位置を調整することを可能とするため、幅方向Ｄ１に沿って延びる長円状の形状を有していてよい。この貫通孔に挿入されたアンカーボルト３４の上端部は、ベースプレート２１の上面２１ａから突出し、当該上端部がナット３７で締め付けられる。
【００１９】
フィンプレート２２は、ベースプレート２１の上面２１ａ側に設けられ、角形鋼管１５の下端１５ａ側の内部に挿入される板状部材によって構成される。一対のフィンプレート２２は、幅方向Ｄ１において互いに平行をなすように、ベースプレート２１の上面２１ａから高さ方向Ｄ２における上方へ向かって真っ直ぐに延びている。一対のフィンプレート２２の幅方向Ｄ１における外側の側面２２ａは、角形鋼管１５の各内面１５ｂ（幅方向に対向する内面）に当接する（特に図３参照）。このように、フィンプレート２２が内側から角形鋼管１５に当接することによって、角形鋼管１５を十分に支持することができる。
【００２０】
フィンプレート２２は、幅方向Ｄ１から見た場合に、上方へ向かって先細りとなるように円弧状に形成される側縁部２２ｂを有している（特に図４参照）。具体的には、フィンプレート２２は、厚さ方向Ｄ３に対向する一対の側縁部２２ｂと、上縁部２２ｃと、を有している。フィンプレート２２の側縁部２２ｂは、ベースプレート２１の上面２１ａから上方へ向かって真っ直ぐに延びている。側縁部２２ｂは、角形鋼管１５の内面１５ｂと当接（あるいは、僅かな隙間を形成するように近接）している。上端付近における側縁部２２ｂは、外側へ向かって膨らむような円弧を描く円弧部２２ｄを有している。このような形状により、施工時において、角形鋼管１５を接合金物２０と接合する際、角形鋼管１５を傾斜させた状態でフィンプレート２２に挿入しようとした場合、角形鋼管１５がフィンプレート２２の上縁部２２ｃなどと干渉することなく挿入可能である。また、角形鋼管１５の内面１５ｂが円弧部２２ｄにガイドされることによって、角形鋼管１５をフィンプレート２２に容易に挿入することができる。なお、フィンプレート２２の形状は特に限定されない。例えば、上縁部２２ｃも円弧状となることによって、フィンプレート２２の上縁部２２ｃ全体が円弧状をなしていてもよい。また、フィンプレート２２全体が円弧状になっていてもよい。また、円弧状でなくともよく、フィンプレート２２が直線状に傾斜するように切り欠かれてもよい。また、フィンプレート２２は矩形状であってもよい。
【００２１】
フィンプレート２２には、貫通孔が設けられている。また、角形鋼管１５における四方の管壁のうち、幅方向Ｄ１に対向する一対の管壁には、貫通孔が形成されている。フィンプレート２２の貫通孔と角形鋼管１５の貫通孔とは、幅方向Ｄ１から見て重なり合う位置に形成されている。これらの貫通孔を用いることにより、角形鋼管１５とフィンプレート２２とは、横方向に延びる軸部材２７で接合される。軸部材２７として、例えばボルト又はドリルねじが採用される。軸部材２７は、角形鋼管１５に形成された貫通孔及びフィンプレート２２の貫通孔に対して、幅方向Ｄ１に挿入される。
【００２２】
スリットインプレート３０は、ベースプレート２１の下面２１ｂ側に設けられ、土台３の内部に配置される下側部材を構成する。スリットインプレート３０は、ベースプレート２１の下面２１ｂのうち、厚さ方向Ｄ３の中央位置に配置されている。スリットインプレート３０は、幅方向Ｄ１と平行に延びている。高さ方向Ｄ２から見たときに、スリットインプレート３０は、フィンプレート２２と９０°で交差する。スリットインプレート３０は厚さ方向Ｄ３から見て、幅方向Ｄ１を長辺方向とする略直方体状に形成されている（特に図４参照）。ただし、スリットインプレート３０の形状は、正方形などであってもよく、特に限定されない。また、スリットインプレート３０が設けられる配置も特に限定されず、且つ、高さ方向Ｄ２から見たときのフィンプレート２２との角度も９０°に限定されない。土台３の内部に配置可能であればよい。スリットインプレート３０の幅方向Ｄ１に対向する両側の側縁部３０ｂは、アンカーボルト３４よりも幅方向Ｄ１における内側に配置される。スリットインプレート３０の下縁部３０ａの位置は特に限定されないが、少なくとも土台３の下面３ｂよりも上方、すなわち基礎４の上面４ａよりも上方に配置される。
【００２３】
上述のように構成されたスリットインプレート３０は、土台３に形成されたスリット部に挿入されることで、土台３に取り付けられる。スリット部は、土台３の上面３ａから下方へ向かって延びると共に、幅方向Ｄ１と平行に延びるスリット溝である。土台３とスリットインプレート３０とは、厚さ方向Ｄ３へ延びる一対のドリフトピン３１で接合される。一対のドリフトピン３１は、幅方向Ｄ１に互いに離間するように配置されている。スリットインプレート３０及び土台３には、ドリフトピン３１を挿入する位置に貫通孔を有している。ドリフトピン３１は、土台３の厚さ方向Ｄ３における一方の側面から挿入され、スリットインプレート３０及び土台３の貫通孔を貫通し、土台３の他方側の面まで及ぶ。ただし、ドリフトピン３１の本数は特に限定されず、３本以上のドリフトピン３１を用いてもよい。
【００２４】
スリットインプレート３０の下縁部３０ａと側縁部３０ｂとの間の角部は、円弧状に形成されている。具体手的には、下縁部３０ａと側縁部３０ｂとの間に円弧部３０ｃが形成される。スリットインプレート３０のこのような形状により、施工時において、土台３のスリット部にスリットインプレート３０を挿入しようとした場合、土台３のスリット部に対してスリットインプレート３０の下縁部３０ａなどが干渉することなく挿入可能である。また、土台３のスリット部に対して、円弧部３ｃにてガイドされることによって、スリットインプレートを土台３に容易に挿入することができる。なお、スリットインプレート３０の形状は特に限定されない。例えば、下縁部３０ａ全体が円弧状になっていてもよい。また、円弧状でなくともよく、スリットインプレート３０が直線状に傾斜するように切り欠かれてもよい。また、スリットインプレート３０は矩形状であってもよい。また、スリットインプレート３０は、幅方向Ｄ１において分割されていてもよい。例えば、実施形態では一枚のスリットインプレートが二つのドリフトピン３１用の貫通孔を有していたが、二枚のスリットインプレートがそれぞれ一つずつのドリフトピン３１用の貫通孔を有してよい。
【００２５】
次に、本実施形態に係る脚部接合構造５０の作用・効果について説明する。
【００２６】
まず、従来の耐力壁について説明する。在来軸組工法などの木造住宅分野では、地震力などの水平力に抵抗する耐力壁は、耐力が高くなるほど基礎との締結部である脚部接合構造に大きな軸方向力（引き抜こうとする力）が作用する。また、近年の耐力壁の幅の縮小化の要望に伴い、耐力壁の幅を小さくする（例えば９１０ｍｍ未満）とする場合、耐力壁のアスペクト比に比例して脚部に作用する引張軸方向力は大きくなる。例えば、壁幅をＢ、壁高さをＨとすると、耐力壁の頂部に水平力荷重Ｐが作用する場合、脚部に作用する引張軸方向力Ｎは、Ｎ＝Ｐ×Ｈ／Ｂとなる。従って、壁幅Ｂが半分になると、引張軸方向力Ｎは２倍となる。従って、小幅の耐力壁の脚部接合構造において、作用する大きな引張軸方向力に対してコンパクトな接合金物で応力を基礎に伝達できることは経済的であり、商品化の要望が高い。
【００２７】
ここで、従来の脚部接合構造として、偏心金物を用いるタイプのものと、無偏心金物を用いるタイプのものが挙げられる。偏心金物は、柱の下端付近における外面に取り付けられ、下方へ延びて基礎とアンカーボルトを介して固定される金物である。このように、柱から偏心した位置で支持する偏心金物を用いた場合、接合部分が偏心しているために、それに起因する付加曲げの影響から、柱に過度の圧縮力がかかることで、最大引張力が低くなるという問題がある。また、無偏心金物は、木製の柱の底面に穴をあけて、当該穴に金具を埋設させると共に基礎に固定することで、柱を支持する金具である。無偏心金物を用いた場合は金物が柱内部を貫通することによる柱の断面欠損の制約から、金物寸法をあまり大きくできないため、柱の最大引張力が低くなるという問題がある。
【００２８】
これに対し、本実施形態に係る脚部接合構造５０では、縦枠材１１を構成する角形鋼管１５と土台３との間には、接合金物２０が配置されている。また、接合金物２０は、上側部材であるフィンプレート２２において角形鋼管１５の下端１５ａ側の内部に接合され、下側部材であるスリットインプレート３０において土台３に接合されている。このように、縦枠材１１として角形鋼管１５を用いると共に、その内部に接合金物２０を接合することによって、耐力壁１０を支持する脚部接合構造５０として十分な強度を得ることができる。また、角形鋼管１５の内部に接合金物２０を接合するだけの簡易な構造とすることができる。以上より、簡易な構造でありながら、強度を向上することができる。
【００２９】
また、一対のフィンプレート２２を角形鋼管１５を縦枠材として用いた耐力壁１０に挿入し、軸部材２７で接合することで、耐力壁１０が水平力を受ける際に、脚部に作用する引抜力に対応させることができる。また、接合金物２０のベースプレート２１の固定部２６にアンカーボルト３４を固定することにより、接合金物２０に作用する軸方向引張力をアンカーボルト３４を介して基礎４へ伝達させることができる。更には、接合金物の下側のスリットインプレート３０をドリフトピン３１で土台３に接合することにより、耐力壁１０に作用するせん断力に対応することができる。なお、スリットインプレート３０には、引抜力をアンカーボルト３４や土台３へと伝達させるベースプレート２１の面外剛性に対して、これを補強する効果もある。また、本実施形態に係る脚部接合構造５０は、土台３を切り欠くことなく、基礎４に沿って連続した構成としているため、ヒートブリッジの生成を抑制できる。
【００３０】
また、本実施形態に係る脚部接合構造５０において、中間部材は、土台３の上面３ａにて、当該土台３の上面３ａと対向するように広がるベースプレート２１によって構成され、上側部材は、ベースプレート２１の上面２１ａ側に設けられ、角形鋼管１５の下端１５ａ側の内部に挿入される一対のフィンプレート２２によって構成され、下側部材は、ベースプレート２１の下面２１ｂ側に設けられ、土台３の内部に配置されるスリットインプレート３０によって構成される。棒状部材は、上端部においてベースプレート２１に固定され、下方へ向かって延びて土台３を貫通し、下端部が基礎に配置されるアンカーボルト３４によって構成される。角形鋼管１５とフィンプレート２２とは、幅方向Ｄ１に延びる軸部材２７で接合され、土台３とスリットインプレート３０とは、厚さ方向Ｄ３へ延びるドリフトピン３１で接合され、基礎４とベースプレート２１とは、アンカーボルト３４を介して接合されている。このように、フィンプレート２２を角形鋼管１５の内部に挿入して軸部材２７で接合し、スリットインプレート３０を土台３の内部に配置してドリフトピン３１で接合し、ベースプレート２１に固定されたアンカーボルト３４で基礎４に接合金物２０を接合するだけの簡易な構造とすることができる。従って、縦枠材として角形鋼管１５を用いる場合であっても、作業性を低下させることなく、脚部接合構造５０を容易に構成することができる。
【００３１】
さらに、本実施形態に係る脚部接合構造５０では、接合金物２０において、フィンプレート２２は、上部側で円弧状に形成される部分（円弧部２２ｄ）を有し、スリットインプレート３０は、下部側で円弧状に形成される部分（円弧部３０ｃ）を有している。このような構成により、角形鋼管１５の内部に接合金物２０を挿入する際に、円弧部２２ｄでガイドしながら角形鋼管１５を挿入することができる。これにより、作業性を向上できる。具体的には、角形鋼管１５と接合金物２０を接合する際は、予め土台３に接合された接合金物２０に対して、上方から角形鋼管１５を挿入するような作業を行う事となる。この際、接合金物２０の上方には梁２が設けられているため、作業者は、角形鋼管１５の上端側が梁２と干渉しないように作業を行う必要がある。従って、作業者は、角形鋼管１５を斜めに倒した状態で、斜め上方から角形鋼管１５に接合金物２０を挿入する。この際、フィンプレート２２の側縁部２２ｂが円弧状に形成されているため、当該円弧部２２ｄに沿って角形鋼管１５をスムーズに挿入することができる。また、土台３のスリット部に接合金物２０のスリットインプレート３０を挿入する際、円弧部３０ｃでスリット部に対するスリットインプレート３０をガイドすることで、スムーズに挿入することができる。以上より、作業性を向上させることができる。
【００３２】
上述のように構成された本実施形態に係る脚部接合構造５０は、従来の偏心金物を用いるタイプの脚部接合構造とは異なり、接合金物２０が縦枠材１１の内部に接合されるため、付加曲げの影響を抑制することができる。また、従来の無偏心金物を用いるタイプの脚部接合構造とは異なり、既に内部空間を有する角形鋼管１５を用い、その内部に接合金物２０を挿入するため、縦枠材１１の断面欠損の制約を受けない。また、角形鋼管１５を縦枠材１１として用いる場合は、接合方法によっては構造が複雑となってしまい、作業効率が低下してしまうという問題がある。しかし、本実施形態に係る脚部接合構造５０では、フィンプレート２２を角形鋼管１５に挿入して、軸部材２７を横方向に挿入して固定するだけの簡単な構造で、脚部接合構造５０を構成することができる。これによって、作業効率を向上することができる。
【００３３】
本発明は、上述の実施形態に限定されるものではない。例えば、上述の実施形態に係る接合金物２０の形状は一例にすぎず、本発明の趣旨の範囲内で適宜変更することができる。また、接合金物２０において、角形鋼管１５の内部に挿入される部分の構成として、一対のフィンプレートを例示した。しかし、角形鋼管１５の内部に挿入されて接合される構造であれば、どのような構造を採用してもよい。
【００３４】
［実施例］
以下、実施例に基づいて本発明の一形態に係る脚部接合構造を具体的に説明するが、脚部接合構造の構成は下記の実施例に限定されるものではない。
【００３５】
上述の実施形態に係る脚部接合構造を組み込んだ耐力壁の試験モデルを作成し、載荷プログラムを用いた強度試験を行った。試験モデルは、在来軸組構造の柱と梁の構造を設け、その構面内に模擬的な基礎に接合金物を介して一対の縦枠材を固定し、縦枠材間にパネル材を設けた。また、縦枠材の上端に水平力荷重Ｐを与えるためのジャッキを接続した。フィンプレート２２は、板厚９．０ｍｍ×幅６８ｍｍ×長さ７５ｍｍであり、ベースプレート２１は、板厚４．５ｍｍ×幅８０ｍｍ×長さ２２５ｍｍである。スリットインプレート３０は、板厚６．０ｍｍ×幅８６．２５ｍｍ×長さ１３５ｍｍルであった。このような縦枠材とフィンプレート２２とをボルトで接合し、ベースプレート２１をＭ１６のアンカーボルト３４で接合し、土台３とスリットインプレート３０をφ１２ｍｍ×９５ｍｍのドリフトピンで接合した。縦枠材として板厚２．３ｍｍ×幅７５ｍｍ×成（奥行き）４５ｍｍの角形鋼管を用い、縦枠材に板厚０．６ｍｍ×幅４５５ｍｍ×高さ２７３０ｍｍの折板パネルを用いて縦枠材に固定した。
【００３６】
当該試験モデルにて面内せん断試験を行った結果（図５）、最大耐力は１５．８ｋＮ、短期許容耐力は５．０ｋＮ、壁倍率は５．６となった。比較例として、４５ｍｍ×９０ｍｍの木材の筋かいを入れた軸組の壁倍率２としたものと比較すると、本実施例は、壁長さ１ｍの比較例に対して２．８倍となった。比較例として、４５ｍｍ×９０ｍｍの木材の筋かいをたすき掛けにいれた軸組の壁倍率４としたものと比較すると、本実施例は、壁長さ１ｍの比較例に対して１．４倍となった。本実施例の壁長さ４５５ｍｍの耐力壁は、壁長さ１ｍの比較例の１．４〜２．８倍の壁倍率となった。以上より、本発明の脚部接合構造を用いることで、十分な強度が得られることが確認された。
【符号の説明】
【００３７】
１…柱、２…梁、３…土台、４…基礎、１０…耐力壁、１１…縦枠材、１２…パネル材、１５…角形鋼管（鋼管）、２０…接合金物、２１…ベースプレート、２２…フィンプレート、３０…スリットインプレート、２７…軸部材、３４…アンカーボルト、５０…脚部接合構造、１００…在来軸組構造。
【図１】
2018076649.tif 000003
【図２】
2018076649.tif 000004
【図３】
2018076649.tif 000005
【図４】
2018076649.tif 000006
【図５】
2018076649.tif 000007